(57)【要約】      （修正有）【課題】締付ナットの緩みを確実に阻止するようにする。【解決手段】雄ねじの谷径より少し小径の円筒又は円錐の円台部２を設け、一方締付ナット６の形状をボルトの上端を掩う蓋部７を設けた袋状とし、その蓋部上面にボルトの円台部の外径と同寸法の円形の罫描線を描き、この円上の２〜６箇所の位置を等間隔に配置し、それらの位置より蓋部を貫通して垂直に錐孔８を穿孔しておく、そしてボルトを植込み等の方法により下部材３４に固定した後、上部材３２をそのボルト孔３３を通して下部材の上に載せ、袋状の締付ナットをボルトに強く締め付けた後、その締付ナットの蓋部７の２〜６本の錐孔８を通してボルトの円台部の上部周辺角部３に向って、打込釘本体１７に取付けられた２〜６本の釘足１８を打込み、その先端の楔部角の切刃２０をそこに食込ませて、袋状締付ナットをボルトに回転不能に結合されるようにする。【選択図】図１
2018119669.tif 000002
【特許請求の範囲】
【請求項１】
ボルトに締め込むナットの緩み止めの構造において、ボルト（１）の上端に雄ねじの谷径より少し小径の円筒又は円錐の円台部（２）を設け、一方締付ナット（６）の形状をボルトの上端を掩う蓋部（７）を設けた袋状とし、その蓋部上面にボルトの円台部の外径と同寸法の円形の罫描線を描き、この円上の２〜６箇所の位置を等間隔に配置し、それらの位置より蓋部を貫通して垂直に錐孔（８）を穿孔しておく、そしてボルトを植込み等の方法により下部材（３４）に固定した後、上部材（３２）をそのボルト孔（３３）を通して下部材の上に載せ、袋状の締付ナットをボルトに強く締め付けた後、その締付ナットの蓋部（７）の２〜６本の錐孔（８）を通してボルトの円台部の上部周辺角部（３）に向って、打込釘本体（１７）に取付けられた２〜６本の釘足（１８）を打込み、その先端の楔部角の切刃（２０）をそこに食込ませて、袋状締付ナットをボルトに回転不能に結合されるようにしたナットの緩み止めの構造。
【請求項２】
特許請求の範囲請求項１項に記載した袋状締付ナットの蓋部（７）を貫通する錐孔（８）の代りに、その場所に小ねじ孔（９）を設け、この雌ネジの有効径（１２）とほぼ同寸法の外形をもつ打込釘本体（１７）の釘足（１８）を、２〜６本の釘足用小ねじ孔（９）に強く打込むことにより、小ねじ孔のねじ山の山頂部を下向きに押し曲げ、押し拡げながらボルトの円台部（２）の上部周辺角部（３）に、釘足先端の楔部角の切刃（２０）を食込ませて、袋状締付ナットをボルトに回転不能に結合されるようにしたナットの緩み止めの構造。
【請求項３】
特許請求の範囲請求項１項に記載したように、袋状締付ナットの蓋部（７）の２〜６本の錐孔（８）を通して打込釘の釘足（１８）を打込み、その釘足先端の楔部角の切刃（２０）をボルトの円台部（２）の上部周辺角部（３）に食込ませて、袋状締付ナット（６）をボルトに回転不能に結合した後、袋状締付ナットの蓋部外周の雄ねじ（１５）に打込釘押込用円冠（１３）をねじ込んで、打込釘（１６）を強く押圧して脱出を阻止するようにしたナットの緩み止めの構造。
【請求項４】
特許請求の範囲請求項１項に記載したように、袋状締付ナットの蓋部（７）の２〜６本の錐孔（８）を通して打込釘の釘足（１８）を打込み、その釘足先端の楔部角の切刃（２０）をボルトの円台部（２）の上部周辺角部（３）に食込ませて、袋状締付ナット（６）をボルトに回転不能に結合した後、押え込み用小ボルト（２２）を打込釘中央部の錐孔（２１）に通して締付ナットの蓋部（７）の押え込み用小ねじ孔（２３）にねじ込んで、打込釘（１６）を強く押圧して脱出を阻止するようにしたナットの緩み止めの構造。
【請求項５】
特許請求の範囲請求項１項に記載した、袋状締付ナット（６）の蓋部（７）の錐孔（８）に打込む数本の釘足を持つ打込釘の代りに、それぞれの錐孔に単独に打込む釘の形状を先端に楔部角の切刃（２６）、中央部に鍔（２７）を設けた棒状とし、この棒状釘（２４）を錐孔に打込み、その楔部角の切刃（２６）をボルトの円台部（２）の上部周辺角部（３）に食込ませて、袋状締付ナットをボルトに回転不能に結合した後、通し孔（２９）付ねじカラー（２８）を棒状釘（２４）の上半部に通して、締付ナットの蓋部（７）に設けられた小ねじ孔（３０）にねじ込んで、その下端で棒状釘の鍔（２７）を強く押圧して、棒状釘の脱出を阻止するようにしたナットの緩み止めの構造。
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明はボルトの上端部に短い円台部を追加し、ここに袋状の締付ナットの上面より貫通した錐孔に打込釘の釘足を打ち込んで、円台部の上部周辺に食込ませることにより、締付ナットの緩みを確実に阻止するようにする。
【課題を解決するための手段】
【０００４】  ボルト１の上端に雄ねじの谷径より少し小径の円筒又は円錐の円台部２を設け、一方締付ナット６の形状をボルトの上端を掩う蓋部７を設けた袋状とし、その蓋部上面にボルトの円台部の外径と同寸法の円形の罫描線を描き、この円上の２〜６箇所の位置を等間隔に配置し、それらの位置より蓋部を貫通して垂直に錐孔８を穿孔しておく。【０００５】  そしてボルトを植込み等の方法により下部材３４に固定した後、上部材３２をそのボルト孔３３を通して下部材の上に載せ、袋状の締付ナットをボルトに強く締め付けた後、その締付ナットの蓋部７の２〜６本の錐孔８を通してボルトの円台部の上部周辺角部３に向って、打込釘本体１７に取付けられた２〜６本の釘足１８を打込み、その先端の楔部角の切刃２０をそこに食込ませて、袋状締付ナットをボルトに回転不能に結合されるようにする。【０００６】  袋状締付ナットの蓋部７を貫通する錐孔８の代りに、その場所に小ねじ孔９を設け、この雌ネジの有効径１２とほぼ同寸法の外形をもつ打込釘本体１７の釘足１８を、２〜６本の釘足用小ねじ孔９に強く打込むことにより、小ねじ孔のねじ山の山頂部を下向きに押し曲げ、押し拡げながらボルトの円台部２の上部周辺角部３に、釘足先端の楔部角の切刃２０を食込ませるようにする。【０００７】  打込釘の釘足１８を打込み、ボルトの円台部２の上部周辺角部３に食込ませて、袋状締付ナット６をボルトに回転不能に結合した後、袋状締付ナットの蓋部外周の雄ねじ１５に打込釘押込用円冠１３をねじ込んで、打込釘１６の脱出を阻止するようにする。【０００８】  打込釘の釘足１８を打込み、ボルトの円台部２の上部周辺角部３に食込ませて、袋状締付ナット６をボルトに回転不能に結合した後、押え込み用小ボルト２２を打込釘中央部の錐孔２１に通して打込釘１６を強く押圧して脱出を阻止するようにする。【０００９】  袋状締付ナット６の蓋部７の錐孔８に打込む数本の釘足を持つ打込釘の代りに、それぞれの錐孔に単独に打込む釘の形状を先端に楔部角の切刃２６、中央部に鍔２７を設けた棒状とし、この棒状釘２４を錐孔に打込み、その楔部角の切刃２６をボルトの円台部２の上部周辺角部３に食込ませて、袋状締付ナットをボルトに回転不能に結合した後、通し孔２９付ねじカラー２８を棒状釘２４の上半部に通して、締付ナットの蓋部７に設けられた小ねじ孔３０にねじ込んで、その下端で棒状釘の鍔２７を強く押圧して、棒状釘の脱出を阻止する。
【発明の効果】
【００１０】  本発明の実施により並目ねじボルトにナットを強く締め込んだ後、確実な緩み止めが可能になり、鉄道車両等振動の激しいナットの脱落を防止しうるようになる。
【図面の簡単な説明】
【００１１】
【図１】本発明の実施形態の一例として、ボルトに袋状締付用ナットを締め込み、緩み止を行った状態の縦断面図
【図２】図１の平面図
【図３】図１、図２に組込まれている打込釘の側面拡大図
【図４】本発明の実施形態の一例として、ボルトに袋状締付用ナットを締め込み、緩み止を行った状態の縦断面図
【図５】図４に組込まれている打込釘の釘足の側面拡大図
【図６】本発明の実施形態の一例として、ボルトに袋状締付用ナットを締め込み、緩み止を行ない更に打込釘の抜け止を行った状態の縦断面図
【図７】本発明の実施形態の一例として、ボルトに袋状締付用ナットを締め込み、緩み止を行ない更に打込釘の抜け止を行った状態の縦断面図
【図８】本発明の実施形態の一例として、ボルトに袋状締付用ナットを締め込み、緩み止を行ない更に棒状釘の抜け止を行った状態の縦断面図
【発明を実施するための形態】
【００１２】  ボルト１の上端に雄ねじの谷径より少し小径の円筒又は円錐の円台部２を設け、一方締付ナット６の形状をボルトの上端を掩う蓋部７を設けた袋状とし、その蓋部上面にボルトの円台部の外径と同寸法の円形の罫描線を描き、この円上の２〜６箇所の位置を等間隔に配置し、それらの位置より蓋部を貫通して垂直に錐孔８を穿孔しておく。
【００１３】  そしてボルトを植込み等の方法により下部材３４に固定した後、上部材３２をそのボルト孔３３を通して下部材の上に載せ、袋状の締付ナットをボルトに強く締め付けた後、その締付ナットの蓋部７の２〜６本の錐孔８を通してボルトの円台部の上部周辺角部３に向って、打込釘本体１７に取付けられた２〜６本の釘足１８を打込み、その先端の楔部角の切刃２０をそこに食込ませて、袋状締付ナットをボルトに回転不能に結合されるようにする。
【００１４】  図１は錐孔８に打込む釘の数が４本の場合を示し、この場合は打込釘本体１７は４角形となっており、ボルト径３０粍程度のボルト緩み止めに適している。
【００１５】  図４に示す通り袋状締付ナットの蓋部７を貫通する錐孔８の代りに、その場所に小ねじ孔９を設け、この雌ネジの有効径１２とほぼ同寸法の外形をもつ打込釘本体１７の釘足１８を、２〜６本の釘足用小ねじ孔９に強く打込むことにより、小ねじ孔のねじ山の山頂部を下向きに押し曲げ、押し拡げながらボルトの円台部２の上部周辺角部３に、釘足先端の楔部角の切刃２０を食込ませて、袋状締付ナットをボルトに回転不能に結合されるようにする。
【００１６】  小ねじ孔９にめり込ませた釘足は小ねじ孔のねじ山に強く締付けられる、この状態は木材に釘を打込んだとき、木材は釘により押し拡げられた後、木材の復元力により釘を強く締付ける状態と同様であって、門形釘の両足は押し拡げられた小ねじ孔のねじ山の山頂部により強く締付けられ、そして引き抜く方向の力が加えられると、下向きに押し曲げられているねじ山の山頂部が原状に戻ろうとして、両足の表面に食込みその脱出を阻止しようとする、この現象は門形釘の両足の表面に多数の小さな突起等を設けることにより、更に強く脱出を阻止することが可能になる。
【００１７】  図４の場合打込釘の本数は２本とし、ボルト径２５粍以下の小ボルト緩み止めを敏速に行いうる大きな利点をもっている。
【００１８】  図６に示す通り打込釘の釘足１８を打込み、ボルトの円台部２の上部周辺角部３に食込ませて、袋状締付ナット６をボルトに回転不能に結合した後、袋状締付ナットの蓋部外周の雄ねじ１５に打込釘押込用円冠１３をねじ込んで、打込釘の脱出を阻止するようにする。
図６の場合は比較的小径のボルトに使用され、そして雨水、汚水の浸入を防ぐことができる利点がある。
【００１９】  図７に示す通り打込釘の釘足１８を打込み、ボルトの円台部２の上部周辺角部３に食込ませて、袋状締付ナット６をボルトに回転不能に結合した後、押え込み用小ボルト２２を打込釘中央部の錐孔２１に通して打込釘を強く押圧して脱出を阻止するようにする。
【００２０】図８に示す通り袋状締付ナット６の蓋部７の錐孔８に打込む数本の釘足を持つ打込釘の代りに、それぞれの錐孔に単独に打込む釘の形状を先端に楔部角の切刃２６、中央部に鍔２７を設けた棒状とし、この棒状釘２４を錐孔に打込み、その楔部角の切刃２６をボルトの円台部２の上部周辺角部３に食込ませて、袋状締付ナットをボルトに回転不能に結合した後、通し孔２９付ねじカラー２８を棒状釘２４の上半部に通して、締付ナットの蓋部７に設けられた小ねじ孔３０にねじ込んで、その下端で棒状釘の鍔２７を強く押圧して、棒状釘の脱出を阻止する、この場合ボルト径の大きい場合に使用される。
【発明の効果】
【００２１】  本発明の実施により並目ねじボルトにナットを強く締め込んだ後、確実な緩み止めが可能になり、振動の激しいナットの脱落を防止しうるようになる。
【符号の説明】
【００２２】１・・・ボルト                                ２・・・ボルトの円台部
３・・・円台部の上部周辺角部                  ４・・・ボルトの締付ねじ
５・・・ボルトの植込ねじ                      ６・・・袋状締付ナット
７・・・締付ナットの蓋部                      ８・・・蓋部の釘足用錐孔
９・・・蓋部の釘足用小ねじ孔                  １０・・・釘足用小ねじ孔の谷の径
１１・・・釘足用小ねじ孔の内径                １２・・・釘足用小ねじ孔の有効径
１３・・・打込釘押込用円冠                    １４・・・押込用円冠の雌ネジ
１５・・・蓋部外周の雄ねじ                    １６・・・打込釘
１７・・・打込釘本体                          １８・・・打込釘の釘足
１９・・・釘足先端の楔部                      ２０・・・楔部角の切刃
２１・・・打込釘中央部錐孔                    ２２・・・打込釘押え込み用小ボルト
２３・・・締付ナット蓋部の押え込み用小ねじ孔  ２４・・・棒状釘
２５・・・棒状釘の先端の楔部                  ２６・・・楔部角の切刃
２７・・・棒状釘中央部の鍔                    ２８・・・ねじカラー
２９・・・ねじカラーの通し孔                  ３０・・・ねじカラー用小ねじ孔
３１・・・座金                                ３２・・・上部材
３３・・・上部材のボルト孔                    ３４・・・下部
【図１】
2018119669.tif 000003
【図２】
2018119669.tif 000004
【図３】
2018119669.tif 000005
【図４】
2018119669.tif 000006
【図５】
2018119669.tif 000007
【図６】
2018119669.tif 000008
【図７】
2018119669.tif 000009
【図８】
2018119669.tif 000010
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
ボルトに締め込むナットの緩み止めの構造において、雄ねじが形成され、前記雄ねじ  谷径より小径である円筒又は円錐の円台部（２）が上端に設けられたボルト（１）と、前記ボルト（１）の上端を掩う蓋部（７）と、前記蓋部（７）における前記円台部（２）の外径と同寸法の円上の２〜６箇所に等間隔に穿孔された錐孔（８）とが設けられる袋状の一方締付ナット（６）と、前記錐孔（８）に打込まれる２〜６本の釘足（１８）と、前記釘足（１８）が取付けられる打込釘本体（１７）とが設けられた打込釘（１６）と、を備え、前記ボルト（１）を下部材（３４）に固定し上部材（３２）をそのボルト孔（３３）に前記ボルト（１）を通して前記下部材（３４）の上に載せ、前記一方締付ナット（６）を前記ボルト（１）に締め付け、前記錐孔（８）を通して前期円台部（２）の上部周辺角部（３）に向って、前記釘足（１８）を打込み、当該釘足（１８）の先端の楔部角の切刃（２０）を前記上部周辺角部（３）に食込ませて、前記一方締付ナット（６）を前記ボルト（１）に回転不能に結合することを特徴とするボルトに締め込むナットの緩み止めの構造。
【請求項２】
前記錐孔（８）の代りに、小ねじ孔（９）を設け、前記釘足（１８）の外径を、前記小ねじ孔（９）の雌ネジの有効径（１２）と略同寸法とし、前記釘足（１８）を前記小ねじ孔（９）に打込むことにより、前記小ねじ孔（９）の前記雌ネジのねじ山の山頂部が下向きに押し曲げ、押し拡げられることを特徴とする請求項１に記載のボルトに締め込むナットの緩み止めの構造。
【請求項３】
前記一方締付ナット（６）の外周雄ねじ（１５）を設け前記雄ねじ（１５）に打込釘押込用円冠（１３）をねじ込むことにより、前記打込釘（１６）を押圧して脱出を阻止するようにしたことを特徴とする請求項１に記載のボルトに締め込むナットの緩み止めの構造。
【請求項４】
前記打込釘本体（１７）の中央部に打込釘中央部の錐孔（２１）を設け、前記一方締付ナット（６）の前記蓋部（７）に押え込み用小ねじ孔（２３）を設け、押え込み用小ボルト（２２）を前記打込釘中央部錐孔（２１）を通して前記押え込み用小ねじ孔（２３）にねじ込むことにより、前記打込釘（１６）を押圧して脱出を阻止するようにしたことを特徴とする請求項１に記載のボルトに締め込むナットの緩み止めの構造。
【請求項５】
前記打込釘（１６）の代りに、先端に楔部角の切刃（２６）、中央部に鍔（２７）が設けられた複数の棒状の棒状釘（２４）と、通し孔（２９）が設けられたねじカラー（２８）と、を備え、前記一方締付ナット（６）の前記蓋部（７）に小ねじ孔（３０）を設け、前記棒状釘（２４）をそれぞれ前記錐孔（８）に単独で打込み、当該棒状釘（２４）の前記切刃（２６）を前記上部周辺角部（３）に食込ませて、前記一方締付ナット（６）を前記ボルト（１）に回転不能に結合し、前記通し孔（２９）を前記棒状釘（２４）の上半部に通して、前記ねじカラー（２８）を前記小ねじ孔（３０）にねじ込むことにより、前記ねじカラー（２８）の下端で前記棒状釘（２４）の前記鍔（２７）を押圧して前記棒状釘（２４）の脱出を阻止するようにしたことを特徴とする請求項１項に記載のボルトに締め込むナットの緩み止めの構造。
【手続補正２】
【補正対象書類名】明細書
【補正対象項目名】全文
【補正方法】変更
【補正の内容】
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明はボルトの上端部に短い円台部を追加し、ここに袋状の締付ナットの上面より貫通した錐孔に打込釘の釘足を打ち込んで、円台部の上部周辺に食込ませることのより、締付ナットの緩みを確実に阻止するようにする。
【課題を解決するための手段】
【０００４】  ボルトに締め込むナットの緩み止めの構造において、雄ねじが形成され、前記雄ねじ  谷径より小径である円筒又は円錐の円台部２が上端に設けられたボルト１と、前記ボルト１の上端を掩う蓋部７と、前記蓋部７における前記円台部２の外径と同寸法の円上の２〜６箇所に等間隔に穿孔された錐孔８とが設けられる袋状の一方締付ナット６と、前記錐孔８に打込まれる２〜６本の釘足１８と、前記釘足１８が取付けられる打込釘本体１７とが設けられた打込釘１６と、を備え、前記ボルト１を下部材（３４）に固定し上部材３２をそのボルト孔３３に前記ボルト１を通して前記下部材３４の上に載せ、前記一方締付ナット６を前記ボルト１に締め付け、前記錐孔８を通して前期円台部２の上部周辺角部３に向って、前記釘足１８を打込み、当該釘足１８の先端の楔部角の切刃２０を前記上部周辺角部３に食込ませて、前記一方締付ナット６を前記ボルト１に回転不能に結合することを特徴とするボルトに締め込むナットの緩み止めの構造。【０００５】  前記錐孔８の代りに、小ねじ孔９を設け、前記釘足１８の外径を、前記小ねじ孔９の雌ネジの有効径１２と略同寸法とし、前記釘足１８を前記小ねじ孔９に打込むことにより、前記小ねじ孔９の前記雌ネジのねじ山の山頂部が下向きに押し曲げ、押し拡げられることを特徴とする請求項１に記載のボルトに締め込むナットの緩み止めの構造。【０００６】  前記一方締付ナット６の外周雄ねじ１５を設け前記雄ねじ１５に打込釘押込用円冠１３をねじ込むことにより、前記打込釘１６を押圧して脱出を阻止するようにしたことを特徴とする請求項１に記載のボルトに締め込むナットの緩み止めの構造。【０００７】  前記打込釘本体１７の中央部に打込釘中央部の錐孔２１を設け、前記一方締付ナット６の前記蓋部７に押え込み用小ねじ孔２３を設け、押え込み用小ボルト２２を前記打込釘中央部錐孔２１を通して前記押え込み用小ねじ孔２３にねじ込むことにより、前記打込釘１６を押圧して脱出を阻止するようにしたことを特徴とする請求項１に記載のボルトに締め込むナットの緩み止めの構造。【０００８】  前記打込釘１６の代りに、先端に楔部角の切刃２６、中央部に鍔２７が設けられた複数の棒状の棒状釘２４と、通し孔２９が設けられたねじカラー２８と、を備え、前記一方締付ナット６の前記蓋部７に小ねじ孔３０を設け、前記棒状釘２４をそれぞれ前記錐孔８に単独で打込み、当該棒状釘２４の前記切刃２６を前記上部周辺角部３に食込ませて、前記一方締付ナット６を前記ボルト１に回転不能に結合し、前記通し孔２９を前記棒状釘２４の上半部に通して、前記ねじカラー２８を前記小ねじ孔３０にねじ込むことにより、前記ねじカラー２８の下端で前記棒状釘２４の前記鍔２７を押圧して前記棒状釘２４の脱出を阻止するようにしたことを特徴とする請求項１項に記載のボルトに締め込むナットの緩み止めの構造。
【発明の効果】
【０００９】  本発明の実施により並目ネジボルトにナットを強く締め込んだ後、確実な緩み止めが可能になり、鉄道車両等振動の激しいナットの脱落を防止しうるようになる。
【図面の簡単な説明】
【００１０】
【図１】本発明の実施形態の一例として、ボルトに袋状締付ナットを締め込み、緩み止を行った状態の縦断面図
【図２】図１の平面図
【図３】図１、図２に組込まれている打込釘の側面拡大図
【図４】本発明の実施形態の一例として、ボルトに袋状締付ナットを締め込み、緩み止を行った状態の縦断面図
【図５】図４に組込まれている打込釘の釘足の側面拡大図
【図６】本発明の実施形態の一例として、ボルトに袋状締付用ナットを締め込み、緩み止を行ない更に打込釘の抜け止を行った状態の縦断面図
【図７】本発明の実施形態の一例として、ボルトに袋状締付用ナットを締め込み、緩み止を行ない更に打込釘の抜け止を行った状態の縦断面図
【図８】本発明の実施形態の一例として、ボルトに袋状締付用ナットを締め込み、緩み止を行ない更に打込釘の抜け止を行った状態の縦断面図
【発明を実施するための形態】
【００１１】  ボルトに締め込むナットの緩み止めの構造において、雄ねじが形成され、前記雄ねじの谷径より小径である円筒又は円錐の円台部２が上端に設けられたボルト１と、前記ボルト１の上端を掩う蓋部７と、前記蓋部７における前記円台部２の外径と同寸法の円上の２〜６箇所に等間隔に穿孔された錐孔８とが設けられる袋状の一方締付ナット６と、前記錐孔８に打込まれる２〜６本の釘足１８と、前記釘足１８が取付けられる打込釘本体１７とが設けられた打込釘１６と、を備え、前記ボルト１を下部材３４に固定し上部材３２をそのボルト孔３３に前記ボルト１を通して前記下部材３４の上に載せ、前記一方締付ナット６を前記ボルト１に締め付け、前記錐孔８を通して前期円台部２の上部周辺角部３に向って、前記釘足１８を打込み、当該釘足１８の先端の楔部角の切刃２０を前記上部周辺角部３に食込ませて、前記一方締付ナット６を前記ボルト１に回転不能に結合することを特徴とするボルトに締め込むナットの緩み止めの構造。
【００１２】  図１は錐孔８に打込む釘の数が４本の場合を示し、この場合は打込み釘本体１７は４角形となっており、ボルト径３０粍程度のボルトの緩み止めに適している。
【００１３】  図４に示す通り袋状締付ナットの蓋部７を貫通する錐孔８の代りに、その場所に小ねじ孔９を設け、前記釘足１８の外径を、前記小ねじ孔９の雌ネジの有効径１２と略同寸法とし、前記釘足１８を前記小ねじ孔９に打込むことにより、前記小ねじ孔９の前記雌ネジのねじ山の山頂部が下向きに押し曲げ、押し拡げられることを特徴とする請求項１に記載のボルトに締め込むナットの緩み止めの構造。
【００１４】  小ねじ孔９にめり込ませた釘足は小ねじ孔のねじ山に強く締付けられる、この状態は木材に釘を打込んだとき、木材は釘により押し拡げられた後、木材の復元力により釘を強く締付ける状態と同様であって、打込釘の釘足は押し拡げられた小ねじ孔のねじ山の山頂部により強く締付けられ、そして引き抜く方向の力が加えられると、下向きに押し曲げられているねじ山の山頂部が原状に戻ろうとして、両足の表面に食込みその脱出を阻止しようとする、この現象は打込釘の釘足の表面に多数の小さな突起等を設けることにより、更に強く脱出を阻止することが可能になる。
【００１５】  図４の場合打込釘の本数は２本とし、ボルト径２５粍以下の小ボルト緩み止めを敏速に行いうる大きな利点をもっている。
【００１６】  図６に示す通り打込釘の釘足１８を打込み、ボルトの円台部２の上部周辺角部３に食込ませて、袋状締付ナット６をボルトに回転不能に結合した後、袋状締付ナットの蓋部外周の雄ねじ１５に打込釘押込用円冠１３をねじ込んで、打込釘の脱出を阻止するようにする。
図６の場合は比較的小径のボルトに使用され、そして雨水、汚水の浸入を防ぐことができる利点がある。
【００１７】  図７に示す通り打込釘の釘足１８を打込み、ボルトの円台部２の上部周辺角部３に食込ませて、袋状締付ナット６をボルトに回転不能に結合した後、押え込み用小ボルト２２を打込釘中央部の錐孔２１に通して打込釘を強く押圧して脱出を阻止するようにする。
【００１８】図８に示す通り袋状締付ナット６の蓋部７の錐孔８に打込む数本の釘足を持つ打込釘の代りに、それぞれの錐孔に単独に打込む釘の形状を先端に楔部角の切刃２６、中央部に鍔２７を設けた棒状とし、この棒状釘２４を錐孔に打込み、その楔部角の切刃２６をボルトの円台部２の上部周辺角部３に食込ませて、袋状締付ナットをボルトに回転不能に結合した後、通し孔２９付ねじカラー２８を棒状釘２４の上半部に通して、締付ナットの蓋部７に設けられた小ねじ孔３０にねじ込んで、その下端で棒状釘の鍔２７を強く押圧して、棒状釘の脱出を阻止する、この場合ボルト径の大きい場合に使用される。
【発明の効果】
【００１９】  本発明の実施により並目ねじボルトにナットを強く締め込んだ後、確実な緩み止めが可能になり、振動の激しいナットの脱落を防止しうるようになる。
【符号の説明】
【００２０】１・・・ボルト                                ２・・・ボルトの円台部
３・・・円台部の上部周辺角部                  ４・・・ボルトの締付ねじ
５・・・ボルトの植込ねじ                      ６・・・袋状締付ナット
７・・・締付ナットの蓋部                      ８・・・蓋部の釘足用錐孔
９・・・蓋部の釘足用小ねじ孔                  １０・・・釘足用小ねじ孔の谷の径
１１・・・釘足用小ねじ孔の内径                １２・・・釘足用小ねじ孔の有効径
１３・・・打込釘押込用円冠                    １４・・・押込用円冠の雌ネジ
１５・・・蓋部外周の雄ねじ                    １６・・・打込釘
１７・・・打込釘本体                          １８・・・打込釘の釘足
１９・・・釘足先端の楔部                      ２０・・・楔部角の切刃
２１・・・打込釘中央部錐孔                    ２２・・・打込釘押え込み用小ボルト
２３・・・締付ナット蓋部の押え込み用小ねじ孔  ２４・・・棒状釘
２５・・・棒状釘の先端の楔部                  ２６・・・楔部角の切刃
２７・・・棒状釘中央部の鍔                    ２８・・・ねじカラー
２９・・・ねじカラーの通し孔                  ３０・・・ねじカラー用小ねじ孔
３１・・・座金                                ３２・・・上部材
３３・・・上部材のボルト孔                    ３４・・・下部材
【手続補正３】
【補正対象書類名】図面
【補正対象項目名】全図
【補正方法】変更
【補正の内容】
【図１】
2018119669.tif 000011
【図２】
2018119669.tif 000012
【図３】
2018119669.tif 000013
【図４】
2018119669.tif 000014
【図５】
2018119669.tif 000015
【図６】
2018119669.tif 000016
【図７】
2018119669.tif 000017
【図８】
2018119669.tif 000018
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
ボルトに締め込むナットの緩み止めの構造において、雄ねじが形成され、前記雄ねじの谷径より小径である円筒又は円錐の円台部（２）が上端に設けられたボルト（１）と、前記ボルト（１）の上端を掩う蓋部（７）と、前記蓋部（７）における前記円台部（２）の外径と同寸法の円上の２〜６箇所に等間隔に穿孔された錐孔（８）とが設けられる袋状の一方締付ナット（６）と、前記錐孔（８）に打込まれる２〜６本の釘足（１８）と、前記釘足（１８）が取付けられる打込釘本体（１７）とが設けられた打込釘（１６）と、を備え、前記ボルト（１）を下部材（３４）に固定し上部材（３２）をそのボルト孔（３３）に前記ボルト（１）を通して前期下部材（３４）の上に載せ、前記一方締付ナット（６）を前記ボルト（１）に締め付け、前記錐孔（８）を通して前記円台部（２）の上部周辺角部（３）に向って、前記釘足（１８）を打込み、当該釘足（１８）の先端の楔部角の切刃（２０）を前記上部周辺角部（３）に食込ませて、前記一方締付ナット（６）を前記ボルト（１）に回転不能に結合することを特徴とするボルトに締め込むナットの緩み止めの構造。
【請求項２】
前記錐孔（８）の代りに、小ねじ孔（９）を設け、前記釘足（１８）の外径を、前記小ねじ孔（９）の雌ネジの有効径（１２）と略同寸法とし、前記釘足（１８）を前記小ねじ孔（９）に打込むことにより、前記小ねじ孔（９）の前記雌ネジのねじ山の山頂部が下向きに押し曲げ、押し拡げられることを特徴とする請求項１に記載のボルトに締め込むナットの緩み止めの構造。
【請求項３】
前記一方締付ナット（６）の外周の雄ねじ（１５）を設け前記雄ねじ（１５）に打込釘押込用円冠（１３）をねじ込むことにより、前記打込釘（１６）を押圧して脱出を阻止するようにしたことを特徴とする請求項１に記載のボルトに締め込むナットの緩み止めの構造。
【請求項４】
前記打込釘本体（１７）の中央部に打込釘中央部錐孔（２１）を設け、前記一方締付ナット（６）の前記蓋部（７）に押え込み用小ねじ孔（２３）を設け、押え込み用小ボルト（２２）を前記打込釘中央部錐孔（２１）を通して前記押え込み用小ねじ孔（２３）にねじ込むことにより、前記打込釘（１６）を押圧して脱出を阻止するようにしたことを特徴とする請求項１に記載のボルトに締め込むナットの緩み止めの構造。
【請求項５】
前記打込釘（１６）の代りに、先端に楔部角の切刃（２６）、中央部に鍔（２７）が設けられた複数の棒状の棒状釘（２４）と、通し孔（２９）が設けられたねじカラー（２８）と、を備え、前記一方締付ナット（６）の前記蓋部（７）に小ねじ孔（３０）を設け、前記棒状釘（２４）をそれぞれ前記錐孔（８）に単独で打込み、当該棒状釘（２４）の前記切刃（２６）を前記上部周辺角部（３）に食込ませて、前記一方締付ナット（６）を前記ボルト（１）に回転不能に結合し、前記通し孔（２９）を前記棒状釘（２４）の上半部に通して、前記ねじカラー（２８）を前記小ねじ孔（３０）にねじ込むことにより、前記ねじカラー（２８）の下端で前記棒状釘（２４）の前記鍔（２７）を押圧して前記棒状釘（２４）の脱出を阻止するようにしたことを特徴とする請求項１項に記載のボルトに締め込むナットの緩み止めの構造。
【手続補正２】
【補正対象書類名】明細書
【補正対象項目名】全文
【補正方法】変更
【補正の内容】
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明はボルトの上端部に短い円台部を追加し、ここに袋状の締付ナットの上面より貫通した錐孔に打込釘の釘足を打ち込んで、円台部の上部周辺に食込ませることのより、締付ナットの緩みを確実に阻止するようにする。
【課題を解決するための手段】
【０００４】  ボルトに締め込むナットの緩み止めの構造において、雄ねじが形成され、前記雄ねじ谷径より小径である円筒又は円錐の円台部２が上端に設けられたボルト１と、前記ボルト１の上端を掩う蓋部７と、前記蓋部７における前記円台部２の外径と同寸法の円上の２〜６箇所に等間隔に穿孔された錐孔８とが設けられる袋状の一方締付ナット６と、前記錐孔８に打込まれる２〜６本の釘足１８と、前記釘足１８が取付けられる打込釘本体１７とが設けられた打込釘１６と、を備え、前記ボルト１を下部材（３４）に固定し上部材３２をそのボルト孔３３に前記ボルト１を通して前記下部材３４の上に載せ、前記一方締付ナット６を前記ボルト１に締め付け、前記錐孔８を通して前記円台部２の上部周辺角部３に向って、前記釘足１８を打込み、当該釘足１８の先端の楔部角の切刃２０を前記上部周辺角部３に食込ませて、前記一方締付ナット６を前記ボルト１に回転不能に結合することを特徴とするボルトに締め込むナットの緩み止めの構造。【０００５】  前記錐孔８の代りに、小ねじ孔９を設け、前記釘足１８の外径を、前記小ねじ孔９の雌ネジの有効径１２と略同寸法とし、前記釘足１８を前記小ねじ孔９に打込むことにより、前記小ねじ孔９の前記雌ネジのねじ山の山頂部が下向きに押し曲げ、押し拡げられることを特徴とする請求項１に記載のボルトに締め込むナットの緩み止めの構造。【０００６】  前記一方締付ナット６の外周の雄ねじ１５を設け前記雄ねじ１５に打込釘押込用円冠１３をねじ込むことにより、前記打込釘１６を押圧して脱出を阻止するようにしたことを特徴とする請求項１に記載のボルトに締め込むナットの緩み止めの構造。【０００７】  前記打込釘本体１７の中央部に打込釘中央部錐孔２１を設け、前記一方締付ナット６の前記蓋部７に押え込み用小ねじ孔２３を設け、押え込み用小ボルト２２を前記打込釘中央部錐孔２１を通して前記押え込み用小ねじ孔２３にねじ込むことにより、前記打込釘１６を押圧して脱出を阻止するようにしたことを特徴とする請求項１に記載のボルトに締め込むナットの緩み止めの構造。【０００８】  前記打込釘１６の代りに、先端に楔部角の切刃２６、中央部に鍔２７が設けられた複数の棒状の棒状釘２４と、通し孔２９が設けられたねじカラー２８と、を備え、前記一方締付ナット６の前記蓋部７に小ねじ孔３０を設け、前記棒状釘２４をそれぞれ前記錐孔８に単独で打込み、当該棒状釘２４の前記切刃２６を前記上部周辺角部３に食込ませて、前記一方締付ナット６を前記ボルト１に回転不能に結合し、前記通し孔２９を前記棒状釘２４の上半部に通して、前記ねじカラー２８を前記小ねじ孔３０にねじ込むことにより、前記ねじカラー２８の下端で前記棒状釘２４の前記鍔２７を押圧して前記棒状釘２４の脱出を阻止するようにしたことを特徴とする請求項１項に記載のボルトに締め込むナットの緩み止めの構造。
【発明の効果】
【０００９】  本発明の実施により並目ネジボルトにナットを強く締め込んだ後、確実な緩み止めが可能になり、鉄道車両等振動の激しいナットの脱落を防止しうるようになる。
【図面の簡単な説明】
【００１０】
【図１】本発明の実施形態の一例として、ボルトに袋状締付ナットを締め込み、緩み止を行った状態の縦断面図
【図２】図１の平面図
【図３】図１、図２に組込まれている打込釘の側面拡大図
【図４】本発明の実施形態の一例として、ボルトに袋状締付ナットを締め込み、緩み止を行った状態の縦断面図
【図５】図４に組込まれている打込釘の釘足の側面拡大図
【図６】本発明の実施形態の一例として、ボルトに袋状締付用ナットを締め込み、緩み止を行ない更に打込釘の抜け止を行った状態の縦断面図
【図７】本発明の実施形態の一例として、ボルトに袋状締付用ナットを締め込み、緩み止を行ない更に打込釘の抜け止を行った状態の縦断面図
【図８】本発明の実施形態の一例として、ボルトに袋状締付用ナットを締め込み、緩み止を行ない更に打込釘の抜け止を行った状態の縦断面図
【発明を実施するための形態】
【００１１】  ボルトに締め込むナットの緩み止めの構造において、雄ねじが形成され、前記雄ねじの谷径より小径である円筒又は円錐の円台部２が上端に設けられたボルト１と、前記ボルト１の上端を掩う蓋部７と、前記蓋部７における前記円台部２の外径と同寸法の円上の２〜６箇所に等間隔に穿孔された錐孔８とが設けられる袋状の一方締付ナット６と、前記錐孔８に打込まれる２〜６本の釘足１８と、前記釘足１８が取付けられる打込釘本体１７とが設けられた打込釘１６と、を備え、前記ボルト１を下部材３４に固定し上部材３２をそのボルト孔３３に前記ボルト１を通して前記下部材３４の上に載せ、前記一方締付ナット６を前記ボルト１に締め付け、前記錐孔８を通して前記円台部２の上部周辺角部３に向って、前記釘足１８を打込み、当該釘足１８の先端の楔部角の切刃２０を前記上部周辺角部３に食込ませて、前記一方締付ナット６を前記ボルト１に回転不能に結合することを特徴とするボルトに締め込むナットの緩み止めの構造。
【００１２】  図１は錐孔８に打込む釘の数が４本の場合を示し、この場合は打込み釘本体１７は４角形となっており、ボルト径３０粍程度のボルトの緩み止めに適している。
【００１３】  図４に示す通り袋状締付ナットの蓋部７を貫通する錐孔８の代りに、その場所に小ねじ孔９を設け、前記釘足１８の外径を、前記小ねじ孔９の雌ネジの有効径１２と略同寸法とし、前記釘足１８を前記小ねじ孔９に打込むことにより、前記小ねじ孔９の前記雌ネジのねじ山の山頂部が下向きに押し曲げ、押し拡げられることを特徴とする請求項１に記載のボルトに締め込むナットの緩み止めの構造。
【００１４】  小ねじ孔９にめり込ませた釘足は小ねじ孔のねじ山に強く締付けられる、この状態は木材に釘を打込んだとき、木材は釘により押し拡げられた後、木材の復元力により釘を強く締付ける状態と同様であって、打込釘の釘足は押し拡げられた小ねじ孔のねじ山の山頂部により強く締付けられ、そして引き抜く方向の力が加えられると、下向きに押し曲げられているねじ山の山頂部が原状に戻ろうとして、両足の表面に食込みその脱出を阻止しようとする、この現象は打込釘の釘足の表面に多数の小さな突起等を設けることにより、更に強く脱出を阻止することが可能になる。
【００１５】  図４の場合打込釘の本数は２本とし、ボルト径２５粍以下の小ボルト緩み止めを敏速に行いうる大きな利点をもっている。
【００１６】  図６に示す通り打込釘の釘足１８を打込み、ボルトの円台部２の上部周辺角部３に食込ませて、袋状締付ナット６をボルトに回転不能に結合した後、袋状締付ナットの蓋部外周の雄ねじ１５に打込釘押込用円冠１３をねじ込んで、打込釘の脱出を阻止するようにする。
図６の場合は比較的小径のボルトに使用され、そして雨水、汚水の浸入を防ぐことができる利点がある。
【００１７】  図７に示す通り打込釘の釘足１８を打込み、ボルトの円台部２の上部周辺角部３に食込ませて、袋状締付ナット６をボルトに回転不能に結合した後、押え込み用小ボルト２２を打込釘中央部錐孔２１に通して打込釘を強く押圧して脱出を阻止するようにする。
【００１８】図８に示す通り袋状締付ナット６の蓋部７の錐孔８に打込む数本の釘足を持つ打込釘の代りに、それぞれの錐孔に単独に打込む釘の形状を先端に楔部角の切刃２６、中央部に鍔２７を設けた棒状とし、この棒状釘２４を錐孔に打込み、その楔部角の切刃２６をボルトの円台部２の上部周辺角部３に食込ませて、袋状締付ナットをボルトに回転不能に結合した後、通し孔２９付ねじカラー２８を棒状釘２４の上半部に通して、締付ナットの蓋部７に設けられた小ねじ孔３０にねじ込んで、その下端で棒状釘の鍔２７を強く押圧して、棒状釘の脱出を阻止する、この場合ボルト径の大きい場合に使用される。
【発明の効果】
【００１９】  本発明の実施により並目ねじボルトにナットを強く締め込んだ後、確実な緩み止めが可能になり、振動の激しいナットの脱落を防止しうるようになる。
【符号の説明】
【００２０】  １・・・ボルト                                ２・・・ボルトの円台部
３・・・円台部の上部周辺角部                  ４・・・ボルトの締付ねじ
５・・・ボルトの植込ねじ                      ６・・・袋状締付ナット
７・・・締付ナットの蓋部                      ８・・・蓋部の釘足用錐孔
９・・・蓋部の釘足用小ねじ孔                １０・・・釘足用小ねじ孔の谷の径
１１・・・釘足用小ねじ孔の内径                １２・・・釘足用小ねじ孔の有効径
１３・・・打込釘押込用円冠                    １４・・・押込用円冠の雌ネジ
１５・・・蓋部外周の雄ねじ                    １６・・・打込釘
１７・・・打込釘本体                          １８・・・打込釘の釘足
１９・・・釘足先端の楔部                      ２０・・・楔部角の切刃
２１・・・打込釘中央部錐孔                    ２２・・・打込釘押え込み用小ボルト
２３・・・締付ナット蓋部の押え込み用小ねじ孔  ２４・・・棒状釘
２５・・・棒状釘の先端の楔部                  ２６・・・楔部角の切刃
２７・・・棒状釘中央部の鍔                    ２８・・・ねじカラー
２９・・・ねじカラーの通し孔                  ３０・・・ねじカラー用小ねじ孔
３１・・・座金                                ３２・・・上部材
３３・・・上部材のボルト孔                    ３４・・・下部材